(57)【要約】【課題】  身体に対する反力の分布を均一にして、使用者の疲労を少なくするとともに、異なる体型に応じて身体をそれぞれの最適の位置に保つことができるクッションを提供する。【解決手段】  発泡合成樹脂材からなるクッション材１と、このクッション材１を密封する柔軟な気密性シートからなる袋体２と、この袋体２の中に空気を出し入れ可能とするように開閉自在に設けられたバルブ４とを備えたクッション１０であって、クッション材１は、主クッション材５と、主クッション材５の外側に設けられた補強クッション材６とを備え、主クッション材５は、低反発性の発泡合成樹脂材からなり、補強クッション材６は、主クッション材５よりも高反発性の発泡合成樹脂材からなる。【選択図】      図２
2005323858.tif 000002
【特許請求の範囲】
【請求項１】
発泡合成樹脂材からなるクッション材と、このクッション材を密封する柔軟な気密性シートからなる袋体と、この袋体の中に空気を出し入れ可能とするように開閉自在に設けられたバルブとを備えたクッションであって、
上記クッション材は、主クッション材と、主クッション材の外側に設けられた補強クッション材とを備え、
上記主クッション材は、低反発性の発泡合成樹脂材からなり、
上記補強クッション材は、主クッション材よりも高反発性の発泡合成樹脂材からなることを特徴とするクッション。
【請求項２】
上記補強クッション材は、主クッション材の表裏の一方の面に設けられる第１の補強クッション材と、他方の面に設けられる第２の補強クッション材とを備え、
これら第１の補強クッション材と第２の補強クッション材とは、それぞれ周囲に上記主クッション材を囲む縁部を有し、
これら第１の補強クッション材の縁部と第２の補強クッション材の縁部とが接合されていることを特徴とする請求項１に記載のクッション。
【請求項３】
上記第１の補強クッション材と、第２の補強クッション材とは、互いに異なる硬さを有するように構成されていることを特徴とする請求項２に記載のクッション。
【請求項４】
上記補強クッション材は、第１の補強クッション材と第２の補強クッション材の少なくとも一方が、硬さの異なる二つ以上の発泡合成樹脂材を重ねた複合発泡合成樹脂材から構成されることを特徴とする請求項２または請求項３に記載のいずれかに記載のクッション。
【請求項５】
上記袋体は、二枚の伸縮性シートをシートの端部で縫製して密封することにより形成され、
上記補強クッション材の外側の周縁部は、丸みを帯びた形状に形成されていることを特徴とする請求項１ないし請求項４のいずれかに記載のクッション。
【請求項６】
上記主クッション材は、低反発性ウレタンフォームからなることを特徴とする請求項１ないし請求項５のいずれかに記載のクッション。
【請求項７】
上記補強クッション材は、ウレタンフォームからなることを特徴とする請求項１ないし請求項６のいずれかに記載のクッション。
【請求項８】
上記袋体は、３ｍｍ以上７ｍｍ以下の厚みを有する伸縮性布一体クロロプレンラバーからなることを特徴とする請求項１ないし請求項７のいずれかに記載のクッション。
【請求項９】
上記袋体に設けられた通気孔に接続される可撓性の通気管を備え、
上記バルブは、この通気管に設けられていることを特徴とする請求項１ないし請求項８のいずれかに記載のクッション。
【請求項１０】
上記バルブは、弁座と、この弁座に当接してバルブを閉の状態にする弁体と、弁体を弁座の方向に付勢する付勢部材とを備え、常時は付勢部材の付勢力により弁体が弁座に当接して閉の状態に維持され、
付勢部材の付勢力に抗して弁体の端部を変位させることによりバルブを開の状態に変更可能であることを特徴とする請求項１ないし請求項９のいずれかに記載のクッション。
【発明の詳細な説明】
【技術分野】
【０００１】
本発明は、例えば、椅子やベッドに採用されるクッションに関するものである。
【背景技術】
【０００２】
従来、椅子やベッドに採用されるクッションと言えば、布やレザー張りの袋体に綿やウールなどの天然素材あるいはウレタンフォームなどの発泡合成樹脂材からなる詰めものを収納したものが広く利用されてきたが、例えば、老人や脊髄損傷などの患者が使用する車椅子やベッドなどのクッションに対しては、床ずれ防止の観点から、特に身体に対する反力の分布が均一で、使用者の疲労が少ないものが求められる。また、異なる体型に応じて身体をそれぞれの最適の位置に保つことができるものが求められる。
【０００３】
そこで、このようなクッションとして、最近では、ウレタンフォームなどの発泡合成樹脂材からなるクッション材と、このクッション材を密封する袋体と、この袋体の内部の空気の量を調節することにより形状を変更させ得るようにしたクッションが種々提案されている。
【０００４】
例えば、特許文献１には、ウレタンフォームを素材とするベースクッションと、このベースクッションの全体を気密状態で包囲する袋体と、袋体の上面に着脱自在に装着された低反発係数のウレタンフォームを素材とするトップクッションと、袋体の内側と外側との連通を開放自在に閉成するバルブとを備え、体重を加えながら内部の空気を排出するとともに、所望の変形度になったタイミングでバルブを閉成することにより形状を保持させ得るように構成した形状保持機能を有するクッションの技術が開示されている。
【特許文献１】特開２００３−１３５２２３号公報
【発明の開示】
【発明が解決しようとする課題】
【０００５】
しかしながら、上述の公報に開示されたクッションの技術では、通常のウレタンフォームの上面に僅かに低反発係数のウレタンフォームを装着しただけなので、身体に対する反力の分布を均一にし、かつ身体を最適の位置に保つことができるものとしては必ずしも効果的でないという不具合があった。
【０００６】
すなわち、上述の公報に開示されたクッションの技術では、低反発係数のウレタンフォームからなるトップクッションは、身体から荷重を受けた場合、これを支えるように反発することなく容易に変形してしまい、結局、身体の荷重を支えるのは主に通常のウレタンフォームからなるベースクッションとなる。そして、この通常のウレタンフォームからなるベースクッションは、身体の突出した部分では変形が大きくなり反力も大きくなる。また、身体の突出していない部分では変形が小さくなり反力も小さくなる。その結果、身体の突出した部分に反力が集中してしまい、長時間使用すると使用者の疲労が増大することになる。
【０００７】
また、以上のように身体に対する反力の分布が不均一になることは、疲労から使用者自らの姿勢が崩れやすくなるだけでなく、身体が沈み込むなどクッションの形状変化も発生しやすくなる。
【０００８】
このように、身体に対する反力の分布を均一にするとともに、身体を最適の位置に保つことについては上述の公報に開示されたクッションの技術では、限界があると言わざるを得なかった。
【０００９】
本発明は上記不具合に鑑みてなされたものであり、身体に対する反力の分布を均一にして、使用者の疲労を少なくするとともに、異なる体型に応じて身体をそれぞれの最適の位置に保つことができるクッションを提供することを課題としている。
【課題を解決するための手段】
【００１０】
上記課題を解決するための本発明は、発泡合成樹脂材からなるクッション材と、このクッション材を密封する柔軟な気密性シートからなる袋体と、この袋体の中に空気を出し入れ可能とするように開閉自在に設けられたバルブとを備えたクッションであって、上記クッション材は、主クッション材と、主クッション材の外側に設けられた補強クッション材とを備え、上記主クッション材は、低反発性の発泡合成樹脂材からなり、上記補強クッション材は、主クッション材よりも高反発性の発泡合成樹脂材からなることを特徴とするクッションである。
【００１１】
本発明によれば、主クッション材が、低反発性の発泡合成樹脂材で構成されるとともに、補強クッション材が、主クッション材よりも高反発性の発泡合成樹脂材で構成されるので、人が座るなどしてクッションに荷重が働いた場合には、外側にある補強クッション材が適度な反力を保った状態で身体に沿った形状に撓むとともに、この補強クッション材の撓みに基づくクッションの変形を内側にある主クッション材が低い反力で吸収するように作用する。その結果、臀部など突出した部分に対しても適度な反力を保ちながらその荷重を支えることができるようになる。
【００１２】
また、本発明によれば、主クッション材と補強クッション材とを柔軟な気密性シートからなる袋体で密封し、バルブを開閉してこの袋体の中に空気を出し入れするように構成されているので、バルブを操作して袋体の中の空気量を調節することにより、使用者それぞれの異なる体型に応じてクッションを最適な形状に調節し、これを維持することができるようになる。
【００１３】
このように、本発明によれば、身体がクッションから受ける反力の分布が均一になり、クッションを長時間使用しても使用者の疲労が少ない。また、異なる体型に応じて身体をそれぞれの最適の位置に保つことができ、クッションを長時間使用しても使用者の姿勢が崩れたりすることがない。
【００１４】
さらに、同様にクッションの座席に対する反力の分布も均一な状態を維持することができるので、クッションが座席に対してずれたり、しわなどの変形が発生したりすることがない。
【００１５】
ここで、上記補強クッション材は、主クッション材の表裏の一方の面に設けられる第１の補強クッション材と、他方の面に設けられる第２の補強クッション材とを備え、これら第１の補強クッション材と第２の補強クッション材とは、それぞれ周囲に上記主クッション材を囲む縁部を有し、これら第１の補強クッション材の縁部と第２の補強クッション材の縁部とが接合されていることが好ましい。
【００１６】
このようにすれば、主クッション材の表裏の一方の面に設けられる第１の補強クッション材の縁部と、他方の面に設けられる第２の補強クッション材の縁部とが接合されているので、主クッション材を、第１の補強クッション材と第２の補強クッション材とが包み込むような状態になる。その結果、クッションの等方性が向上して、身体がクッションから受ける反力の分布がより均一になる。また、主クッション材が横方向に退避することが防止され、クッションを長時間使用しても身体を最適の位置に保つことができるようになる。
【００１７】
また、上記第１の補強クッション材と、第２の補強クッション材とは、互いに異なる硬さを有するように構成されていることが好ましい。
【００１８】
このようにすれば、第１の補強クッション材と、第２の補強クッション材とが、互いに異なる硬さを有するので、クッションを裏返すという簡単な操作で、やや固めあるいは柔らかめなど、座り心地を選択することができるようになる。
【００１９】
また、上記補強クッション材は、第１の補強クッション材と第２の補強クッション材の少なくとも一方が、硬さの異なる二つ以上の発泡合成樹脂材を重ねた複合発泡合成樹脂材から構成されることが好ましい。
【００２０】
このようにすれば、硬さの異なる二つ以上の発泡合成樹脂材を重ねることで、補強クッション材の硬さを微妙にきめ細かく調整することができる。
【００２１】
また、上記袋体は、二枚の伸縮性シートをシートの端部で縫製して密封することにより形成され、上記補強クッション材の外側の周縁部は、丸みを帯びた形状に形成されていることが好ましい。
【００２２】
このようにすれば、周縁部が丸みを帯びた形状に形成された補強クッション材を適度に引っ張った状態の二枚の伸縮性シートで包み込むことになるので、クッション材と袋体との間にしわや、隙間などが生じることを防止することができる。また、使用者の身体がクッションに沈み込んでも、身体の周りをクッション材の周縁部が横方向から圧迫することがない。
【００２３】
また、上記主クッション材は、低反発性ウレタンフォームからなることが好ましい。
【００２４】
このようにすれば、市場に広く流通して高い評価を受けている低反発性ウレタンフォームで主クッション材を構成することができるので、安価で信頼性の高いクッションを実現することができる。
【００２５】
また、上記補強クッション材は、ウレタンフォームからなることが好ましい。
【００２６】
このようにすれば、市場に広く流通している多様なウレタンフォームの中から選択して補強クッション材を構成することができるので、安価で座り心地が多様なクッションを実現することができる。
【００２７】
上記袋体は、３ｍｍ以上７ｍｍ以下の厚みを有する伸縮性布一体クロロプレンラバーからなることが好ましい。
【００２８】
このようにすれば、十分な強度と気密性を保ちながら適度な弾力性がある３ｍｍ以上７ｍｍ以下の厚みを有する伸縮性布一体クロロプレンラバーで袋体が構成されるので、皺や弛みがなく、適度な反力をもった洗濯可能なクッションを実現することができる。また、水を透さず、万一破れても容易に補修することができる。
【００２９】
また、本発明に係るクッションは、上記袋体に設けられた通気孔に接続される可撓性の通気管を備え、上記バルブは、この通気管に設けられていることが好ましい。
【００３０】
このようにすれば、バルブが、袋体に接続される可撓性の通気管に設けられているので、必要な位置に適当な姿勢でバルブを配置することができる結果、バルブの開閉が容易で、操作性の良いクッションを実現することができる。
【００３１】
また、上記バルブは、弁座と、この弁座に当接してバルブを閉の状態にする弁体と、弁体を弁座の方向に付勢する付勢部材とを備え、常時は付勢部材の付勢力により弁体が弁座に当接して閉の状態に維持され、付勢部材の付勢力に抗して弁体の端部を変位させることによりバルブを開の状態に変更可能であることが好ましい。
【００３２】
このようにすれば、座ってバルブの端部を押すという簡単な操作でバルブを開の状態に変更してクッションの空気量を変更することができるので、さらに操作性の良いクッションを実現することができる。
【発明の効果】
【００３３】
以上説明したように、本発明によれば、身体に対する反力の分布を均一にして、使用者の疲労を少なくするとともに、異なる体型に応じて身体をそれぞれの最適の位置に保つことができるクッションを実現することができるという顕著な効果を奏する。
【発明を実施するための最良の形態】
【００３４】
以下、添付図面を参照しながら本発明の好ましい実施の一形態について詳述する。図１は本発明の第１の実施の形態に係るクッション１０の構成を示す斜視図であり、図２は本発明の第１の実施の形態に係るクッション１０の構成を示す分解斜視図である。また、図３は本発明の第１の実施の形態に係るクッション１０の構成を示す断面図である。図４は本発明の第１の実施の形態に係るクッション１０のバルブ４の構成を示す断面図であり、（ａ）は、バルブ４が閉（Ｃ）の状態の断面図を、（ｂ）は、バルブ４が開（Ｏ）の状態の断面図をそれぞれ示している。
【００３５】
図１を参照して、本発明の第１の実施の形態に係るクッション１０を説明する。図示のクッション１０は、老人や脊髄損傷などの患者が使用する車椅子に採用されるものであって、発泡合成樹脂材からなるクッション材１と、このクッション材１を密封する袋体２と、この袋体２に設けられた通気孔２ａに接続される可撓性の通気管３と、通気管３の先端に取り付けられ、この袋体２の中に空気を出し入れ可能とするように開閉自在に設けられたバルブ４とを備えている。
【００３６】
上記クッション材１は、図２と図３とに示すように、主クッション材５と、主クッション材５の外側に設けられた補強クッション材６とを備えている。
【００３７】
この主クッション材５は、特に低反発性の発泡合成樹脂材である低反発性ウレタンフォームで構成されている。すなわち、主クッション材５は、見掛け密度が、６０±５ｋｇ／ｍ3、硬さが、３．０±１．５ｋｇｆで、反発弾性率が５％以下のものが採用されている。ここで、見掛け密度と、硬さと、反発弾性率とは、ＪＩＳ  Ｋ６４００「軟質ウレタンフォーム試験方法」に記載された測定方法による数値である。
【００３８】
また、補強クッション材６は、主クッション材５よりも高反発性の発泡合成樹脂材である通常のウレタンフォームで構成されている。さらに、この補強クッション材６の外側の周縁部７ａ、７ｂは、丸みを帯びた形状に形成されている。
【００３９】
ここで、補強クッション材６は、主クッション材５の表裏の一方の面に設けられる第１の補強クッション材６ａと、他方の面に設けられる第２の補強クッション材６ｂとを備え、これら第１の補強クッション材６ａと第２の補強クッション材６ｂとは、それぞれ周囲に主クッション材５を囲む縁部８ａ、８ｂを有し、これら第１の補強クッション材６ａの縁部８ａと第２の補強クッション材６ｂの縁部８ｂとが接合されて補強クッション材６として一体に形成されている。
【００４０】
また、第１の補強クッション材６ａと、第２の補強クッション材６ｂとは、互いに異なる硬さを有するように構成されている。すなわち、第１の補強クッション材６ａは、見掛け密度１６±２ｋｇ／ｍ3で、硬さ８．５±２ｋｇｆのものが採用されている。また、第２の補強クッション材６ｂは、見掛け密度２５±２ｋｇ／ｍ3で、硬さ１２±２ｋｇｆのものが採用されている。ここで、見掛け密度と、硬さとは、ＪＩＳ  Ｋ６４００「軟質ウレタンフォーム試験方法」に記載された測定方法による数値である。
【００４１】
上記袋体２は、３ｍｍ以上７ｍｍ以下の厚みを有する伸縮性布一体クロロプレンラバーからなる柔軟な二枚の伸縮性気密性シートをシートの端部で縫製して密封することにより形成されている。そして、この袋体２は、適度に引っ張られた状態で、補強クッション材６を包み込むように構成されている。それ故、この袋体２は、空気が抜けるにしたがって身体の形に沿って変形するが、表面に皺ができないようになっている。
【００４２】
上記通気管３は、袋体２に設けられた通気孔２ａとバルブ４とを接続するクロロプレンラバーからなる可撓性のチューブ部材であり、この通気管３を通じて袋体２の空気量の調節が行われる。そして、この通気管３は、バルブ４を必要な位置に適当な姿勢で配置することができるように適度な長さ、形状に設けられ、使用者が座った状態でバルブ４の端部を操作してクッション１０の空気量を変更することができるように構成されている。
【００４３】
上記バルブ４は、袋体２の中に空気を出し入れ可能とするように開閉自在に通気管３の先端に設けられたものであり、図４に示すように、弁座４ａと、この弁座４ａに当接してバルブ４を閉の状態にする弁体４ｂと、弁体４ｂを弁座４ａの方向に付勢する付勢部材４ｃとを備えている。このように、バルブ４は、常時は付勢部材４ｃの付勢力により弁体４ｂが弁座４ａに当接して閉（図４（ａ））の状態に維持され、また、付勢部材４ｃの付勢力に抗して弁体４ｂの端部４ｄを変位させることによりバルブ４を開の状態（図４（ｂ））に変更することができるように構成されている。
【００４４】
次に図５を参照して、本発明の実施の形態に係るクッション１０の作用について説明する。図５は本発明の第１の実施の形態に係るクッション１０の作用を示す断面図である。
【００４５】
まず、図５（ａ）は、バルブ４を開（Ｏ）にしてクッション１０の内部に空気を導入している状態を示す断面図である。この状態では、クッション材１が膨張するとともに、袋体２が、補強クッション材６を適度に引っ張った状態で包み込んでおり、クッション材１の反力と袋体２の張力とがバランスした形状で安定するまでクッション１０の内部に空気が導入される。
【００４６】
次に、図５（ｂ）は、図５（ａ）の状態で人Ｍがクッション１０の上に座るとともに、バルブ４の端部４を押してバルブ４を開（Ｏ）にすることによりクッション１０の内部の空気を排出している状態を示す断面図である。この状態では、通気管３を通じて袋体２の空気量の調節が行われ、外側にある補強クッション材６が適度な反力を保った状態で身体に沿った形状に撓むとともに、この補強クッション材６の撓みに基づくクッション１０の変形を内側にある主クッション材５が低い反力で吸収していく。
【００４７】
なお、この袋体２の空気量の調節にあたっては、第１の補強クッション材６ａと、第２の補強クッション材６ｂとが、互いに異なる硬さを有するので、クッション１０を裏返すという操作で、座り心地を選択することも可能である。
【００４８】
さらに、図５（ｃ）は、図５（ｂ）において最適な位置でバルブ４を閉（Ｃ）にすることにより、人が席を外してもクッション１０の形状が最良に保たれている状態を示す断面図である。この状態では、クッション材１が膨張しようとするが、クッション材１は、袋体２により密封されているので、クッション材１の反力と大気の圧力とがバランスし、クッション１０は、使用者の体型に応じた最適な形状に維持されている。
【００４９】
ここで、図６〜図８は、本発明の第１の実施の形態に係るクッション１０の効果を示す説明図であり、いずれも斜線部分でクッション表面の応力集中箇所Ｓを示したものである。なお、これらの応力集中箇所Ｓは、いずれもニッタ（株）製の座圧分布測定システム（商品名ＢＩＧ−ＭＡＴ）による測定結果に基づくものであり、図６〜図８の３つのケースにわたる応力の測定最大値を指数１００とした時の指数８７以上の部分を示している。
【００５０】
図６は、従来のウレタンフォームのみのクッション３０において、人Ｍが座った場合の反力集中箇所Ｓを比較のために示している。このように、従来のウレタンフォームのみのクッション３０では、身体の突出した部分である臀部に特に応力が集中していることがよくわかる。
【００５１】
また、図７は、クッション１０において、内部に空気が充満している未調整の状態で人Ｍが座った場合の応力集中箇所Ｓを示している。このように、未調整の状態では、クッション３０と同様に、突出した臀部に応力が集中している。
【００５２】
これに対して、図８は、クッション１０において、内部の空気量が調整された調整後の状態で人Ｍが座った場合の応力集中箇所Ｓを示している。このように、内部の空気量の調整を行うことによって、身体のクッション１０に接している部分の全体に応力を均一に分散させることができることがよくわかる。
【００５３】
以上説明したように、本発明の第１の実施の形態に係るクッション１０によれば、主クッション材５が、低反発性の発泡合成樹脂材で構成されるとともに、補強クッション材６が、主クッション材５よりも高反発性の発泡合成樹脂材で構成されるので、人が座るなどしてクッション１０に荷重が働いた場合には、外側にある補強クッション材６が適度な反力を保った状態で身体に沿った形状に撓むとともに、この補強クッション材６の撓みに基づくクッション１０の変形を内側にある主クッション材５が低い反力で吸収することができる。その結果、臀部など突出した部分に対しても適度な反力を保ちながらその変形を吸収することができるようになる。
【００５４】
また、主クッション材５と補強クッション材６とを柔軟な気密性シートからなる袋体２で密封し、バルブ４を開閉してこの袋体２の中に空気を出し入れするように構成されているので、バルブ４を操作して袋体２の中の空気量を調節することにより、使用者それぞれの異なる体型に応じてクッション１０を最適な形状に調節し、これを維持することができるようになる。
【００５５】
このように、本発明の第１の実施の形態に係るクッション１０によれば、身体がクッション１０から受ける反力の分布が均一になり、クッション１０を長時間使用しても使用者の疲労が少ない。また、異なる体型に応じて身体をそれぞれの最適の位置に保つことができ、クッション１０を長時間使用しても使用者の姿勢が崩れたりすることがない。
【００５６】
さらに、同様にクッション１０の座席に対する反力の分布も均一な状態を維持することができるので、クッション１０が座席に対してずれたり、しわなどの変形が発生したりすることがない。
【００５７】
また、本発明の第１の実施の形態に係るクッション１０によれば、主クッション材５の表裏の一方の面に設けられる第１の補強クッション材６ａの縁部８ａと、他方の面に設けられる第２の補強クッション材６ｂの縁部８ｂとが接合されているので、主クッション材５を、第１の補強クッション材６ａと第２の補強クッション材６ｂとが包み込むような状態になる。その結果、クッション１０の等方性が向上して、身体がクッション１０から受ける反力の分布がより均一になる。また、主クッション材５が横方向に退避することが防止され、クッション１０を長時間使用しても身体を最適の位置に保つことができるようになる。
【００５８】
また、第１の補強クッション材６ａと、第２の補強クッション材６ｂとが、互いに異なる硬さを有するので、クッション１０を裏返すという簡単な操作で、やや固めあるいは柔らかめなど、座り心地を選択することができるようになる。
【００５９】
また、周縁部７ａ、７ｂが丸みを帯びた形状に形成された補強クッション材６を適度に引っ張った状態の二枚の伸縮性シートで包み込むことになるので、クッション材１と袋体２との間にしわや、隙間などが生じることを防止することができる。また、使用者の身体がクッション１０に沈み込んでも、身体の周りをクッション材１の周縁部７ａ、７ｂが横方向から圧迫することがない。
【００６０】
さらに、市場に広く流通して高い評価を受けている低反発性ウレタンフォームで主クッション材５を構成することができるので、安価で信頼性の高いクッション１０を実現することができる。
【００６１】
また、市場に広く流通している多様なウレタンフォームの中から選択して補強クッション材６を構成することができるので、安価で座り心地が多様なクッション１０を実現することができる。
【００６２】
そして、十分な強度と気密性を保ちながら適度な弾力性がある３ｍｍ以上７ｍｍ以下の厚みを有する伸縮性布一体クロロプレンラバーで袋体２が構成されるので、皺や弛みがなく、適度な反力をもったクッション１０を実現することができる。また、水を透さない素材なので、尿漏れしてもしみこまず、水洗いもできるので、匂いが残らない。また、万一破れても容易に補修することができる。
【００６３】
さらに、本発明の第１の実施の形態に係るクッション１０によれば、バルブ４が、袋体２に接続される可撓性の通気管３に設けられているので、必要な位置に適当な姿勢でバルブ４を配置することができる結果、バルブ４の開閉が容易で、操作性の良いクッション１０を実現することができる。
【００６４】
また、座ってバルブ４の端部を押すという簡単な操作でバルブ４を開の状態に変更してクッション１０の空気量を変更することができるので、さらに操作性の良いクッション１０を実現することができる。
【００６５】
次に図６と図７とを参照して、本発明の第２の実施の形態に係るクッション２０について説明する。図６は、本発明の第２の実施の形態に係るクッション２０の構成を示す分解斜視図であり、図７は、本発明の第２の実施の形態に係るクッション２０の構成を示す断面図である。なお以下の説明では、本発明の第１の実施の形態に係るクッション１０と同様の部材には同一の符号を付し、重複する説明を省略するものとする。
【００６６】
本発明の第２の実施の形態に係るクッション２０の補強クッション材２６は、クッション１０の第１の補強クッション材６ａと同様の第１の補強クッション材２６ａと、他方の面に設けられる第２の補強クッション材２６ｂとを備え、第２の補強クッション材２６ｂは、硬さの異なる発泡合成樹脂材２６ｃと２６ｄとを重ねた複合発泡合成樹脂材から構成されている。
【００６７】
すなわち、第２の補強クッション材２６ｂは、見掛け密度２５±２ｋｇ／ｍ3で、硬さ１２±２ｋｇｆのウレタンフォームからなる発泡合成樹脂材２６ｃと見掛け密度２０±２ｋｇ／ｍ3で、硬さ１１．５±２ｋｇｆのウレタンフォームからなる発泡合成樹脂材２６ｄとの複合材が採用されている。
【００６８】
このように、本発明の第２の実施の形態に係るクッション２０によれば、硬さの異なる二つ以上の発泡合成樹脂材２６ｃと２６ｄとを重ねることで、第２の補強クッション材２６ｂの硬さを微妙にきめ細かく調整することができるようになっている。
【００６９】
上述した実施の形態は本発明の好ましい具体例を例示したものに過ぎず、本発明は上述した実施の形態に限定されない。
【００７０】
例えば、本発明の実施の形態に係るクッション１０、２０は、老人や脊髄損傷の患者が使用する車椅子に採用されるものに限らない。一般の家庭やオフィス、病院、ホテルで用いられる椅子やベッドにも適用可能である。
【００７１】
また、主クッション材５と、補強クッション材６、２６のそれぞれは、必ずしもウレタンフォームである必要はなく、それぞれの目的に適した発泡合成樹脂材であれば、種々の設計変更が可能である。袋体２も、必ずしも３ｍｍ以上７ｍｍ以下の厚みを有する伸縮性布一体クロロプレンラバーである必要はなく、伸縮性気密性シートであれば、種々の設計変更が可能である。
【００７２】
また、通気管３は必ずしも必要ではなく、袋体２に直接バルブ４が設けられていてもよい。
【００７３】
また、補強クッション材６ａ、６ｂ、２６ａおよび発泡合成樹脂材２６ｃ、２６ｄは、必ずしも上述の見掛け密度と硬さとに限定されない。消費者の体型や好みに応じて種々の設計変更が可能である。
【００７４】
また、バルブ４も必ずしも図示の形状に限定されず、袋体２の中に空気を出し入れすることができる開閉自在なものであればコック式のバルブなど、種々の設計変更が可能である。
【００７５】
その他、本発明の特許請求の範囲内で種々の設計変更が可能であることはいうまでもない。
【図面の簡単な説明】
【００７６】
【図１】本発明の第１の実施の形態に係るクッションの構成を示す斜視図である。
【図２】本発明の第１の実施の形態に係るクッションの構成を示す分解斜視図である。
【図３】本発明の第１の実施の形態に係るクッションの構成を示す断面図である。
【図４】本発明の第１の実施の形態に係るクッションのバルブの構成を示す断面図であり、（ａ）は、バルブが閉（Ｃ）の状態の断面図を、（ｂ）は、バルブが開（Ｏ）の状態の断面図をそれぞれ示している。
【図５】本発明の第１の実施の形態に係るクッションの作用を示す断面図であり、（ａ）は、バルブを開（Ｏ）にしてクッションの内部に空気を導入している状態を、（ｂ）は、人がクッションの上に座るとともに、バルブの端部を押してバルブを開（Ｏ）にすることによりクッションの内部の空気を排出している状態を、（ｃ）は、最適な位置でバルブを閉（Ｃ）にすることにより、人が席を外してもクッションの形状が最良に保たれている状態をそれぞれ示している。
【図６】従来のウレタンフォームのみのクッションにおいて、人が座った場合の応力集中箇所を示す説明図である。
【図７】本発明の第１の実施の形態に係るクッションにおいて、内部に空気が充満している未調整の状態で人が座った場合の応力集中箇所を示す説明図である。
【図８】本発明の第１の実施の形態に係るクッションにおいて、内部の空気量が調整された調整後の状態で人が座った場合の応力集中箇所を示す説明図である。
【図９】本発明の第２の実施の形態に係るクッションの構成を示す断面図である。
【図１０】本発明の第２の実施の形態に係るクッションの構成を示す分解斜視図である。
【符号の説明】
【００７７】
１      クッション材
２      袋体
２ａ    通気孔
３      通気管
４      バルブ
４ａ    弁座
４ｂ    弁体
４ｃ    付勢部材
４ｄ    弁体の端部
５      主クッション材
６、２６        補強クッション材
６ａ、２６ａ    第１の補強クッション材
６ｂ、２６ｂ    第２の補強クッション材
７ａ、７ｂ      周縁部
８ａ、８ｂ      縁部
１０、２０      クッション
【図１】
2005323858.tif 000003
【図２】
2005323858.tif 000004
【図３】
2005323858.tif 000005
【図４】
2005323858.tif 000006
【図５】
2005323858.tif 000007
【図６】
2005323858.tif 000008
【図７】
2005323858.tif 000009
【図８】
2005323858.tif 000010
【図９】
2005323858.tif 000011
【図１０】
2005323858.tif 000012